(57)【要約】      （修正有）【課題】大容量の排気ファン組立体を適用しながらも調理室の容積の減少を防止する壁掛け型電子レンジを提供する。【解決手段】調理空間の排気ダクトに連通する壁掛け型電子レンジであって、電子レンジの外観をなす本体３０と、本体３０の外部に設けられた排気ダクト２０に連通するように前記本体３０内に設けられた内部ダクト３７と、飲食物を調理するため、本体３０内に設けられた加熱部と、排気ダクト２０内に設けられ、汚染された室内空気を内部ダクト３７及び排気ダクト２０を通して循環させる送風力を発生させる排気ファン組立体４０とを含む。【選択図】        図３
2004184059.tif 000002
【特許請求の範囲】
【請求項１】
調理空間の排気ダクトに連通する壁掛け型電子レンジにおいて、
電子レンジの外観をなす本体と、
前記本体の外部に設けられた前記排気ダクトに連通するように前記本体内に設けられた内部ダクトと、
飲食物を調理するため、前記本体内に設けられた加熱部と、
前記排気ダクト内に設けられ、汚染された室内空気を内部ダクト及び排気ダクトを通して循環させる送風力を発生させる排気ファン組立体とを含んでなることを特徴とする壁掛け型電子レンジ。
【請求項２】
前記電子レンジは、
前記本体の底面に設けられ、その下部の汚染された室内空気を受ける吸気口と、
前記本体の上面に設けられ、汚染された室内空気を上方に排出する排気口とをさらに含み、
前記内部ダクトは吸気口を前記排気口に連結することを特徴とする請求項１に記載の壁掛け型電子レンジ。
【請求項３】
前記排気ファン組立体は、
回転力を発生するファンモータと、
前記回転力により送風力を発生させる排気ファンと、
前記ファンモータ及び前記排気ファンを収容するファンケースとを含むことを特徴とする請求項１に記載の壁掛け型電子レンジ。
【請求項４】
前記ファンケースは、
前記ファンケースの両側面に設けられ、前記排気口から汚染された室内空気を受ける二つの吸入孔と、
前記ファンケースの上面、前面及び後面のいずれか一面に設けられ、汚染された室内空気を前記排気ダクトに排出する排出孔とを含むことを特徴とする請求項３に記載の壁掛け型電子レンジ。
【請求項５】
前記排気ファン組立体は、前記排気ファン組立体により発生した送風力を前記内部ダクトに伝達するため、前記内部ダクトに隣接した位置に設置されることを特徴とする請求項１に記載の壁掛け型電子レンジ。
【請求項６】
前記排気ファン組立体は、前記本体の下部で発生する汚染された室内空気を前記排気ダクトに排出させることを特徴とする請求項１に記載の壁掛け型電子レンジ。
【請求項７】
前記排気ダクトは、汚染された室内空気を調理空間、前記本体の排気路、及び前記調理空間の外部のいずれか一つに排出することを特徴とする請求項１に記載の壁掛け型電子レンジ。
【請求項８】
前記壁掛け型電子レンジは、前記本体の上部に設けられ、汚染された室内空気を前記排気ダクトから前記本体の排気路に案内する案内板をさらに含み、前記排気路は前記調理空間に連通することを特徴とする請求項７に記載の壁掛け型電子レンジ。
【請求項９】
前記壁掛け型電子レンジは、前記排気路内に設けられ、汚染された室内空気を前記調理空間に排出する前にフィルタリングする空気フィルタをさらに含むことを特徴とする請求項８に記載の壁掛け型電子レンジ。
【請求項１０】
前記排気口は前記排気ファン組立体に連通することを特徴とする請求項２に記載の壁掛け型電子レンジ。
【請求項１１】
前記排気ファン組立体は汚染された室内空気を前記排気ダクトに排出する排出孔を含み、前記排出孔は、汚染された室内空気を所定方向に案内するため、前記排気ファン組立体の上面、前面、側面、及び後面のいずれか一面に設けられることを特徴とする請求項１に記載の壁掛け型電子レンジ。
【請求項１２】
前記排気ファン組立体は、汚染された室内空気を前記電子レンジに対して所定方向に案内するため、回転可能であることを特徴とする請求項１に記載の壁掛け型電子レンジ。
【請求項１３】
前記加熱部は、飲食物を加熱するため高周波を発生するマグネトロンを含むことを特徴とする請求項１に記載の壁掛け型電子レンジ。
【請求項１４】
調理空間の排気ダクトに連通する壁掛け型オーブンにおいて、
前記オーブンの外観をなす本体と、
飲食物を調理するため、前記本体内に設けられた加熱部と、
前記本体の外部に設けられた前記排気ダクトに連通するように前記本体内に設けられた内部ダクトと、
前記排気ダクト内に設けられ、前記本体の下部の調理空気を吸い込み、前記内部ダクトを通して排出する排気ファン組立体とを含んでなることを特徴とする壁掛け型オーブン。
【請求項１５】
前記排気ダクトは調理空気を前記調理空間、前記本体の排気路、及び前記調理空間の外部のいずれか一つに排出することを特徴とする請求項１４に記載の壁掛け型オーブン。
【請求項１６】
前記排気ファン組立体は調理空気を前記排気ダクトに排出する排出孔を含み、前記排出孔は、汚染された室内空気を所定方向に案内するため、前記排気ファン組立体の上面、前面、側面、及び後面のいずれか一面に設けられることを特徴とする請求項１４に記載の壁掛け型オーブン。
【請求項１７】
前記排気ファン組立体は、調理空気を前記電子レンジに対して所定方向に案内するため、回転可能であることを特徴とする請求項１４に記載の壁掛け型オーブン。
【請求項１８】
前記加熱部は、飲食物を調理するため高周波を発生するマグネトロンを含むことを特徴とする請求項１４に記載の壁掛け型オーブン。
【請求項１９】
前記壁掛け型オーブンは壁掛け型電子レンジであることを特徴とする請求項１８に記載の壁掛け型オーブン。
【発明の詳細な説明】
【０００１】
【発明の属する技術分野】
本発明は壁掛け型電子レンジに係り、より詳しくは送風能力を向上させた壁掛け型電子レンジに関するものである。
【０００２】
【従来の技術】
一般に、電子レンジは高周波を放射して水分子を振動させ、その摩擦熱により飲食物を調理する装置であって、特に厨房のガスオーブンレンジなどの調理装置の上部に設置され、汚染された空気を外部へ排出させるフードの機能も兼ねるようになっているものを壁掛け型電子レンジという。
【０００３】
図１に示すように、従来の壁掛け型電子レンジは厨房空間のガスオーブンレンジ（図示せず）の上部壁面に設置されるもので、通常の電子レンジが有する調理機能とともに、下部に配置されるガスオーブンレンジから発生する排気ガス、飲食物の臭いなどを外部へ排出する機能を兼ねるようになっている。
【０００４】
このような壁掛け型電子レンジは、外観をなす本体１内に、飲食物の調理が行われる調理室（図示せず）と、各種の電気部品が設けられる電装室２とが画成されている。調理室と電装室２の上部には、ガスオーブンレンジから発生した排気ガスと飲食物の臭いにより汚染された空気を電子レンジの外部へ排出するため、排気ファン組立体３が設けられる。
【０００５】
排気ファン組立体３は、回転力を発生するファンモータ（図示せず）と、ファンモータにより回転して送風力を発生させる排気ファン４とを含んでなるものであって、本体１の後方の上部に設けられ、その送風力により、汚染された室内空気を本体１の内部を通して上部に排出する装置である。
【０００６】
ところが、このような壁掛け型電子レンジは、排気ファン組立体３の送風能力を向上させるため、大容量の排気ファン４及びファンモータを選択する場合、排気ファン４及びファンモータのサイズが不可避的に増大する。この場合、本体１の全体大きさをそのままで維持するためには、調理室及び電装室２の高さが低くならなければならない。したがって、調理室の容積が減少することになる。
【０００７】
【発明が解決しようとする課題】
したがって、本発明はこのような問題点を解決するためになされたもので、その目的は大容量の排気ファン組立体を適用しながらも調理室の容積の減少を防止する壁掛け型電子レンジを提供することにその目的がある。
【０００８】
【課題を解決するための手段】
このような目的を達成するため、本発明は、調理空間の排気ダクトに連通する壁掛け型電子レンジにおいて、電子レンジの外観をなす本体と、前記本体の外部に設けられた前記排気ダクトに連通するように前記本体内に設けられた内部ダクトと、飲食物を調理するため、前記本体内に設けられた加熱部と、前記排気ダクト内に設けられ、汚染された室内空気を内部ダクト及び排気ダクトを通して循環させる送風力を発生させる排気ファン組立体とを含んでなる壁掛け型電子レンジを提供する。
【０００９】
前記電子レンジは、前記本体の底面に設けられ、その下部の汚染された室内空気を受ける吸気口と、前記本体の上面に設けられ、汚染された室内空気を上方に排出する排気口とをさらに含み、前記内部ダクトは吸気口を前記排気口に連結する。
【００１０】
前記排気ファン組立体は、回転力を発生するファンモータと、前記回転力により送風力を発生させる排気ファンと、前記ファンモータ及び前記排気ファンを収容するファンケースとを含む。
【００１１】
前記ファンケースは、前記ファンケースの両側面に設けられ、前記排気口から汚染された室内空気を受ける二つの吸入孔と、前記ファンケースの上面、前面及び後面のいずれか一面に設けられ、汚染された室内空気を前記排気ダクトに排出する排出孔とを含む。
【００１２】
前記排気ファン組立体は、前記排気ファン組立体により発生した送風力を前記内部ダクトに伝達するため、前記内部ダクトに隣接した位置に設置される。
【００１３】
【発明の実施の形態】
以下、本発明の好ましい実施形態を添付図面に基づいて詳細に説明する。
図２に示すように、本発明による壁掛け型電子レンジは厨房空間のオーブンレンジ１０の上部に設置される。本発明の壁掛け型電子レンジの上側には、ガスオーブンレンジ１０の使用により発生する排気ガス及び飲食物の臭いを厨房空間の外部に案内する外部ダクト２０（図３参照）が設けられている。
【００１４】
図３及び図４に示すように、本発明の壁掛け型電子レンジは、外観をなす本体３０の内部に、飲食物の調理のための調理室３１と、電子レンジを作動させるための各種の電気部品が設けられる電装室３２とが画成されている。
【００１５】
調理室３１は、その前面がドア３３により開閉可能に構成され、電装室３２の前面には、電子レンジの機能を制御するための制御盤３４がドア３３に並んで設けられる。
【００１６】
電装室３２の内部には、調理室３１の内部に高周波を供給するためのマグネトロン３２ａと、該マグネトロン３２ａに高電圧を印加するための高圧トランス３２ｂなどの電気部品が設けられ、これらの電気部品を冷却するための送風ファン３２ｃが設けられる。
【００１７】
このような壁掛け型電子レンジの本体３０の下板３０Ｌの両側には、その下部に配置されたガスオーブンレンジ１０から発生した排気ガス及び飲食物の臭いを含む汚染空気が本体３０内に流入できるように、吸気口３５が形成され、本体３０の上面をなす上板３０Ｕには、吸気口３５を通して本体３０の内部に流入された室内空気が排出されるように、排気口３６が設けられる。
【００１８】
また、本体３０の内部には、吸気口３５を通して流入された室内空気を排気口３６に案内するための内部ダクト３７が設けられる。内部ダクト３７は調理室３１及び電装室３２の下部から後部を経て上部に延長されるので、吸気口３５を通して流入された室内空気を排気口３６に案内するようになっている。
【００１９】
したがって、汚染された室内空気は吸気口３５を通して本体３０内に流入された後、内部ダクト３７と排気口３６を通して外部ダクト２０に案内され、外部ダクト２０を通して室外に排出される。
【００２０】
このような壁掛け型電子レンジにおいて、外部ダクト２０内には、汚染された室内空気を吸入するように送風力を発生させる排気ファン組立体４０が設けられている。排気ファン組立体４０は、回転力を発生するファンモータ４１と、該ファンモータ４１から回転力を受けて回転し、送風力を発生させる排気ファン４２と、前記ファンモータ４１及び排気ファン４２の設置のためのファンケース４３とを備えている。ファンケース４３は、その中央にファンモータ４１が挿設され、ファンモータ４１の両側には、遠心ファンからなる排気ファン４２がそれぞれ一つずつ設けられる。この際、排気ファン組立体４０は本体３０内に設置されずに外部ダクト２０内に設置されるので、本体３０及び調理室３１の大きさに制限を受けない。例えば、本体３０及び調理室３１の大きさは増大した送風力及び能力を有する大きい排気ファン組立体を収容するために増大する必要がない。
【００２１】
ファンケース４３の両側面には、汚染空気を吸入するようにする吸入孔４３ａがそれぞれ形成され、上面には、ファンケース４３内に流入された汚染空気を排出する排出孔４３ｂが設けられる。したがって、排気ファン組立体４０は汚染された室内空気を両側で吸入し、上側で吐き出すことになる。
【００２２】
本実施形態において、排出孔４３ｂはファンケース４３の上面に設けられるので、汚染された室内空気を上方に排出させる。しかし、排出孔４３ｂは、外部ダクトの形状及び位置に応じて、ほかの部分に位置するか又はファンケース４３のほかの面に配置できることが分かる。
【００２３】
図５及び図６は本発明のほかの実施形態による電子レンジを示すもので、排出孔４３ｂをファンケース４３の前面又は後面に配置させるため、外部ダクト２０’又は２０”の形状及び位置に応じて、排出孔４３ｂが前方を向くように排気ファン組立体４０を配置するか又は排気ファン組立体４０を回転させて排出孔４３ｂが後方を向くようにすることができる。したがって、汚染された室内空気は電子レンジの前方又は後方に排出させることができる。例えば、図５及び図６は汚染された室内空気を電子レンジの前方に案内するように配置されるか又は回転されて室内空気を電子レンジの後方に案内するように配置された排気ファン組立体４０を示す。この場合、本体３０の上部に案内板１００を設けて、汚染された空気を外部ダクト２０’から本体３０内に設けられた排気路（外部ダクトからの矢印を参照）に案内することができる。この排気路は厨房の調理空間に連通している。排気路には、汚染された室内空気を厨房の調理空間に排出する前にフィルタリングする空気フィルタ（図示せず）を設けることができる。
【００２４】
以下、本発明による壁掛け型電子レンジの動作及び作用効果を図３ないし図６に基づいて詳細に説明する。
排気ファン組立体４０に電源が印加されると、ファンモータ４１により排気ファン４２が動作して送風力を発生させ、この送風力により、汚染された室内空気が本体３０に設けられた吸気口３５、内部ダクト３７、排気口３６を順次経て本体３０の上部に排出される。その後、ファンケース４３の両側に設けられた吸入孔４３ａを通してファンケース４３内に流入される。次いで、汚染空気は、例えばファンケース４３の上面に設けられた排出孔４３ｂ（図４の実施形態参照）を通過した後、外部ダクト２０に沿って、例えば厨房の調理空間の外部へ排出される。
【００２５】
このような排気ファン組立体４０は本体３０に設置されるものではなく外部ダクト２０に設置されるため、大型ファンモータ４１及び排気ファン４２を収容するために調理室３１の容積を減少させることなく、大容量のファンモータ４１及び排気ファン４２を壁掛け型電子レンジに適用することができる。却って、本発明の本体３０と同一大きさを有する本体内に排気ファン組立体が設けられた従来の電子レンジに比べ、調理室３１の容積が増大することができる。
【００２６】
【発明の効果】
以上説明したように、本発明による壁掛け型電子レンジは、排気ファン組立体が本体でなく外部ダクトに別途に設置されるので、本体及び調理室の容積にかかわらず、大容量の排気ファン及びファンモータを適用することができるとともに、調理室の容積は増大させることができる効果がある。実際に、調理室の容積は排気ファン組立体を外部ダクト内に設けることにより増大することができる。
【００２７】
また、排気ファン組立体を回転させて、排出孔を種々の方向に向けることができるので、外部ダクトの形状及び位置に応じて、室内空気排出方向を容易に変更することができる。
【図面の簡単な説明】
【図１】従来の壁掛け型電子レンジを示す側断面図である。
【図２】ガスオーブンレンジの上部に設置された本発明による壁掛け型電子レンジを示す斜視図である。
【図３】本発明による壁掛け型電子レンジの分解斜視図である。
【図４】図３に示す壁掛け型電子レンジの側断面図である。
【図５】本発明のほかの実施形態による壁掛け型電子レンジを示す側断面図である。
【図６】本発明のさらにほかの実施形態による壁掛け型電子レンジを示す側断面図である。
【符号の説明】
１０  ガスオーブンレンジ
３０  本体
３１  調理室
３２  電装室
３２ａ  マグネトロン
３２ｂ  高圧トランス
３２ｃ  送風ファン
３３  ドア
３４  制御盤
３５  吸気口
３６  排気口
３７  内部ダクト
４０  排気ファン組立体
４１  ファンモータ
４２  排気ファン
４３  ファンケース
４３ａ  吸入孔
４３ｂ  排出孔
【図１】
2004184059.tif 000003
【図２】
2004184059.tif 000004
【図３】
2004184059.tif 000005
【図４】
2004184059.tif 000006
【図５】
2004184059.tif 000007
【図６】
2004184059.tif 000008